【手続補正書】
【提出日】平成28年1月22日(2016.1.22)
【手続補正１】
【補正対象書類名】特許請求の範囲
【補正対象項目名】全文
【補正方法】変更
【補正の内容】
【特許請求の範囲】
【請求項１】
クライアントデバイスにおいて、クライアント・アプリケーションへロードされる１以上の構造化ドキュメントにおける検索結果にアクセスする工程であって、前記検索結果によって第１のユーザの検索クエリに関連している可能性の高い１以上のネットワーク・リソースが識別される、前記工程と、
前記第１のユーザと関連を有する１以上の第２のユーザが識別された前記ネットワーク・リソースのいずれかと特定の時間内に対話したか否かを判定するために、ソーシャル・グラフ情報のデータ・ストアにアクセスする工程と、
前記クライアントデバイスにおいて、前記クライアント・アプリケーションのユーザ・インターフェースにおいて、前記特定の時間内に前記第２のユーザが対話した識別された前記ネットワーク・リソースのうちの１以上を視覚的に区別する工程と、
を備える方法。
【請求項２】
前記特定の時間内に前記第２のユーザが対話した識別された前記ネットワーク・リソースは、色、大きさ、ハイライト、フォントまたは他の視覚的な表示のうちの１以上によって、視覚的に区別される、請求項１に記載の方法。
【請求項３】
前記特定の時間内に前記第２のユーザが対話した識別された前記ネットワーク・リソースのうちの１以上に少なくとも部分的に基づく人気ランキングに従って、前記検索結果をランク付けする工程をさらに備える、請求項１に記載の方法。
【請求項４】
前記特定の時間内に前記第２のユーザが対話した識別された前記ネットワーク・リソースのうちの１以上について、前記人気ランキングは、前記第２のユーザがそれぞれ関連しているノードと、識別された前記ネットワーク・リソースがそれぞれ関連しているノードとの間に１以上のエッジが生成された回数に少なくとも部分的に基づき、前記エッジは少なくとも部分的には前記対話に基づいて生成される、請求項３に記載の方法。
【請求項５】
前記エッジは、閲覧された回数、気に入られた回数、または前記検索結果がソーシャル・グラフ情報の前記データ・ストアを含むソーシャル・ネットワーキング・システムにポストされた回数のうちの１つまたは複数からなる、請求項４に記載の方法。
【請求項６】
１以上のプロセッサと、前記１以上のプロセッサによって実行可能な命令を含むメモリとを備えるシステムであって、前記１以上のプロセッサは前記メモリに結合されており、前記命令を実行するように動作可能であり、前記命令の実行時、
クライアントデバイスにおいて、クライアント・アプリケーションへロードされる１以上の構造化ドキュメントにおける検索結果にアクセスする工程であって、前記検索結果によって第１のユーザの検索クエリに関連している可能性の高い１以上のネットワーク・リソースが識別される、前記工程と、
前記第１のユーザと関連を有する１以上の第２のユーザが識別された前記ネットワーク・リソースのいずれかと特定の時間内に対話したか否かを判定するために、ソーシャル・グラフ情報のデータ・ストアにアクセスする工程と、
前記クライアントデバイスにおいて、前記クライアント・アプリケーションのユーザ・インターフェースにおいて、前記特定の時間内に前記第２のユーザが対話した識別された前記ネットワーク・リソースのうちの１以上を視覚的に区別する工程と、を行うように動作可能である、システム。
【請求項７】
前記特定の時間内に前記第２のユーザが対話した識別された前記ネットワーク・リソースは、色、大きさ、ハイライト、フォントまたは他の視覚的な表示のうちの１以上によって、視覚的に区別される、請求項６に記載のシステム。
【請求項８】
前記１以上のプロセッサは、前記特定の時間内に前記第２のユーザが対話した識別された前記ネットワーク・リソースのうちの１以上に少なくとも部分的に基づく人気ランキングに従って、前記検索結果をランク付けするようにさらに構成されている、請求項６に記載のシステム。
【請求項９】
前記特定の時間内に前記第２のユーザが対話した識別された前記ネットワーク・リソースのうちの１以上について、前記人気ランキングは、前記第２のユーザがそれぞれ関連しているノードと、識別された前記ネットワーク・リソースがそれぞれ関連しているノードとの間に１以上のエッジが生成された回数に少なくとも部分的に基づき、前記エッジは少なくとも部分的には前記対話に基づいて生成される、請求項８に記載のシステム。
【請求項１０】
前記エッジは、閲覧された回数、気に入られた回数、または前記検索結果がソーシャル・グラフ情報の前記データ・ストアを含むソーシャル・ネットワーキング・システムにポストされた回数のうちの１つまたは複数からなる、請求項９に記載のシステム。
【請求項１１】
１以上の非一時的なコンピュータ可読記憶媒体であって、１以上のコンピュータ・システムによる実行時、
クライアントデバイスにおいて、クライアント・アプリケーションへロードされる１以上の構造化ドキュメントにおける検索結果にアクセスする工程であって、前記検索結果によって第１のユーザの検索クエリに関連している可能性の高い１以上のネットワーク・リソースが識別される、前記工程と、
前記第１のユーザと関連を有する１以上の第２のユーザが識別された前記ネットワーク・リソースのいずれかと特定の時間内に対話したか否かを判定するために、ソーシャル・グラフ情報のデータ・ストアにアクセスする工程と、
前記クライアントデバイスにおいて、前記クライアント・アプリケーションのユーザ・インターフェースにおいて、前記特定の時間内に前記第２のユーザが対話した識別された前記ネットワーク・リソースのうちの１以上を視覚的に区別する工程と、を行うように動作可能であるソフトウェアを具現化する、媒体。
【請求項１２】
前記特定の時間内に前記第２のユーザが対話した識別された前記ネットワーク・リソー
スは、色、大きさ、ハイライト、フォントまたは他の視覚的な表示のうちの１以上によって、視覚的に区別される、請求項１１に記載の媒体。
【請求項１３】
前記特定の時間内に前記第２のユーザが対話した識別された前記ネットワーク・リソースのうちの１以上に少なくとも部分的に基づく人気ランキングに従って、前記検索結果をランク付けする工程をさらに備える、請求項１１に記載の媒体。
【請求項１４】
前記特定の時間内に前記第２のユーザが対話した識別された前記ネットワーク・リソースのうちの１以上について、前記人気ランキングは、前記第２のユーザがそれぞれ関連しているノードと、識別された前記ネットワーク・リソースがそれぞれ関連しているノードとの間に１以上のエッジが生成された回数に少なくとも部分的に基づき、前記エッジは少なくとも部分的には前記対話に基づいて生成される、請求項１３に記載の媒体。
【請求項１５】
前記エッジは、閲覧された回数、気に入られた回数、または前記検索結果がソーシャル・グラフ情報の前記データ・ストアを含むソーシャル・ネットワーキング・システムにポストされた回数のうちの１つまたは複数からなる、請求項１４に記載の媒体。
【請求項１６】
ソーシャル・グラフ情報のデータ・ストアにアクセスする工程は、
前記クライアントデバイスから、ソーシャル・グラフ情報の前記データ・ストアを含むソーシャル・ネットワーキング・システムに、
前記第１のユーザに関連する識別情報と、
特定の時間を示す指示と、
識別された前記ネットワーク・リソースのうちの１以上にそれぞれ関連する１以上のユニフォーム・リソース・ロケータ（ＵＲＬ）と、を送信する工程と、
前記クライアントデバイスにおいて、前記ソーシャル・グラフ情報を受信する工程と、を含む請求項１に記載の方法。
【請求項１７】
１以上のノードは前記第２のユーザにそれぞれ関連し、
１以上のノードは前記第１のユーザにそれぞれ関連し、
前記第１のユーザと関連を有する前記第２のユーザについて、該第２のユーザのそれぞれのノードは、前記第１のユーザに関連する前記ノードの間において特定の分離の程度を有する、請求項１に記載の方法。
【請求項１８】
ソーシャル・グラフ情報のデータ・ストアにアクセスする工程は、
前記クライアントデバイスから、ソーシャル・グラフ情報の前記データ・ストアを含むソーシャル・ネットワーキング・システムに、
前記第１のユーザに関連する識別情報と、
特定の時間を示す指示と、
識別された前記ネットワーク・リソースのうちの１以上にそれぞれ関連する１以上のユニフォーム・リソース・ロケータ（ＵＲＬ）と、を送信する工程と、
前記クライアントデバイスにおいて、前記ソーシャル・グラフ情報を受信する工程と、を含む請求項６に記載のシステム。
【請求項１９】
１以上のノードは前記第２のユーザにそれぞれ関連し、
１以上のノードは前記第１のユーザにそれぞれ関連し、
前記第１のユーザと関連を有する前記第２のユーザについて、該第２のユーザのそれぞれのノードは、前記第１のユーザに関連する前記ノードの間において特定の分離の程度を有する、請求項６に記載のシステム。
【請求項２０】
ソーシャル・グラフ情報のデータ・ストアにアクセスする工程は、
前記クライアントデバイスから、ソーシャル・グラフ情報の前記データ・ストアを含むソーシャル・ネットワーキング・システムに、
前記第１のユーザに関連する識別情報と、
特定の時間を示す指示と、
識別された前記ネットワーク・リソースのうちの１以上にそれぞれ関連する１以上のユニフォーム・リソース・ロケータ（ＵＲＬ）と、を送信する工程と、
前記クライアントデバイスにおいて、前記ソーシャル・グラフ情報を受信する工程と、を含む請求項１１に記載の媒体。